(57)【要約】【課題】  ユーザが利用するアイテムの利用状況から表示すべきメニュー画面に表示する項目を判断して、ユーザに提供するメニューを動的に更新して表示する。【解決手段】  利用された対象アイテムの利用履歴が蓄積されている履歴記録部１０９の利用履歴に基づいて、利用頻度計算部１１０が各対象アイテムの利用頻度を算出して利用頻度格納部１１１に格納する。表示部１０５にメニュー画面を表示する操作が行われた際に、表示項目作成手段１０８は利用頻度格納部１１１の利用頻度に基づいて表示すべき項目を抽出して抽出した項目からなるメニュー画面を表示部１０５に表示する。【選択図】  図１２
2008118346.tif 000002
【特許請求の範囲】
【請求項１】
利用可能な複数の対象アイテムに対応する項目からなるメニュー画面が表示される表示手段と、
前記各項目が選択されて該項目に対応する対象アイテムが利用された際の利用履歴が蓄積される蓄積手段と、
該蓄積手段に蓄積された利用履歴に基づいて各対象アイテムの利用頻度を算出して利用頻度テーブルを作成する頻度算出作成手段と、
該頻度算出作成手段により作成された利用頻度テーブルの内容に基づいて対象アイテムに対応する項目を抽出して表示項目データを作成する表示項目作成手段と、
該表示項目作成手段において作成された前記表示項目データを格納する格納手段と、
携帯通信網に位置し収集された利用履歴に基づいて表示項目データを作成可能な管理サーバに、前記蓄積手段に蓄積されている前記利用履歴のデータをアップロードすると共に、該管理サーバにおいて作成された表示項目データをダウンロードすることができる通信手段とを備え、
前記表示手段にメニュー画面を表示する操作が行われた際に、前記表示項目作成手段は前記利用頻度テーブルの内容に基づいて表示項目データを作成し、作成された前記表示項目データに基づく複数の項目からなるメニュー画面が前記表示手段に表示され、
表示されたメニュー画面において選択された項目に応じて前記利用履歴が更新されると共に、前記頻度算出作成手段において更新された利用履歴に基づいて前記利用頻度テーブルが更新されるようにしたことを特徴とする移動通信端末。
【請求項２】
前記頻度算出作成手段は利用頻度テーブルとして、利用した時間帯別の各対象アイテムの利用回数とされる時間帯別利用頻度および利用した場所別の各対象アイテムの利用回数とされる場所別利用頻度のテーブルを作成し、前記表示項目作成手段は前記時間帯別利用頻度および前記場所別利用頻度のテーブルの内容に基づいて、時間帯と位置に適した表示項目データを作成するようにしており、
前記表示手段にメニュー画面を表示する操作が行われた際に、前記表示項目作成手段は前記時間帯別利用頻度および前記場所別利用頻度のテーブルの内容に基づいて、現在時間と現在位置に適した表示項目データを作成し、作成された前記表示項目データに基づく複数の項目からなるメニュー画面が前記表示手段に表示されるようにしたことを特徴とする請求項１記載の移動通信端末。
【請求項３】
前記頻度算出作成手段は利用頻度テーブルとして、利用した時間帯別の各対象アイテムの利用回数とされる時間帯別利用頻度および利用した場所別の各対象アイテムの利用回数とされる場所別利用頻度のテーブルを作成し、前記表示項目作成手段は前記時間帯別利用頻度および前記場所別利用頻度のテーブルの内容に基づいて、時間帯と位置に適した表示項目データを作成するようにしており、
前記表示手段にメニュー画面を表示する操作が行われた際に、前記表示項目作成手段は前記時間帯別利用頻度と前記場所別利用頻度に重み付けをして、重み付けされた前記時間帯別利用頻度と重み付けされた前記場所別利用頻度との和に基づいて、現在時間と現在位置に適した表示項目データを作成し、作成された前記表示項目データに基づく複数の項目からなるメニュー画面が前記表示手段に表示されるようにしたことを特徴とする請求項１記載の移動通信端末。
【請求項４】
移動通信網に存在する各移動通信端末において利用される対象アイテムの利用履歴のデータを受信し、各移動通信端末において表示されるメニュー画面における選択可能な複数の項目からなる表示項目データを前記利用履歴のデータに基づいて作成する作成手段と、
該作成手段において作成された前記表示項目データおよび受信した前記利用履歴のデータを記憶すると共に、前記各移動通信端末において作成された当該移動通信端末用の表示項目データを受信して記憶する記憶手段と、
前記メニュー画面のデザインデータが格納されている格納手段と、
移動通信端末から前記表示項目データのダウンロードが要求された際に、前記記憶手段に記憶されている当該移動通信端末用の表示項目データを読み出して送ると共に、移動通信端末から前記メニュー画面のデザインの一つが要求された際に、前記格納手段に格納されている当該デザインデータを読み出して送る通信手段と、
を備えることを特徴とする管理サーバ。
【発明の詳細な説明】
【技術分野】
【０００１】
本発明は、移動通信端末に表示されるメニュー画面を作成することのできる移動通信端末および管理サーバに関する。
【背景技術】
【０００２】
最近の携帯電話端末等の移動通信端末においては、移動通信端末の表示画面に待ち受け画面としての壁紙や着信を報知するメロディをユーザが自由に設定することができる。また、ほとんどの機種にカメラが搭載されており、静止画や動画を撮影することができるようにされている。さらに、インターネットに接続してウェブ上から乗換情報やグルメ情報を検索したり、地図をダウンロードして表示することができるようにされている。さらにまた、Ｊａｖａ（登録商標）などのアプリケーションプログラム実行機能が搭載されており、ゲーム等のアプリケーションプログラムを待ち受け時等に実行させることが可能とされている。
【発明の開示】
【発明が解決しようとする課題】
【０００３】
移動通信端末に表示されたり設定されるアイテムは、ユーザが使用する移動通信端末が在圏するセルの場所やそのときの時間帯によって使用されるアイテムが異なる場合が多くされている。例えば、携帯電話機に常駐させるアプリケーションプログラムや、表示器に表示される壁紙等は、ビジネス（職場）とプライベート（自宅）とでは使い分けることが行われている。ところで、移動通信端末に表示されたり設定されるアイテムは、表示器にメニュー画面を表示させてメニュー画面上において使用するアイテムを選択するようにしている。しかしながら、メニュー画面は予め決められた項目、順番、デザインで構築されており、メニュー画面にユーザが利用したいアイテムの項目が表示されていない場合は、メニュー画面の階層をたどることにより利用したいアイテムの項目を表示させて設定しなければならないと云う問題点があった。
【０００４】
そこで、本発明は、ユーザが利用するアイテムの利用状況から表示すべきメニュー画面に表示する項目を判断して、ユーザに提供するメニューを動的に更新して表示することのできる移動通信端末および管理サーバを提供することを目的としている。
【課題を解決するための手段】
【０００５】
本発明は、利用された対象アイテムの利用履歴を蓄積し、この利用履歴に基づいて各対象アイテムの利用頻度を算出して利用頻度テーブルを作成し、作成された利用頻度テーブルの内容に基づいて表示する項目を抽出し、抽出された項目をメニュー画面を表示するようにしたことを最も主要な特徴としている。
【発明の効果】
【０００６】
本発明は、利用された対象アイテムの利用履歴を蓄積し、この利用履歴に基づいて各対象アイテムの利用頻度を算出して利用頻度テーブルを作成し、作成された利用頻度テーブルの内容に基づいて表示する項目を抽出し、抽出された項目をメニュー画面を表示するようにしたことから、ユーザに提供するメニュー画面を対象アイテムの利用状況に応じて動的に更新して表示させることができるようになる。これにより、ユーザがよく利用する項目へのアクセスを容易に行うことができ、操作性を高めることが可能になると共に、現在時間および現在位置に適した項目が表示されるメニュー画面を表示することができるようになる。例えば、オフィスにいる間、外出の間、家にいる間、週末などに適したメニュー画面を表示することが可能となる。
【発明を実施するための最良の形態】
【０００７】
図１は、本発明の実施例の移動通信端末および管理サーバからなる移動通信網の概略構成を示すブロック図である。
この図において、１０は携帯電話端末等の移動通信端末であり、１１は携帯電話網等のネットワークであり、１２は移動通信端末１０の表示画面に表示される表示画面データを管理する管理サーバである。移動通信端末１０はネットワーク１１上に多数存在しており、後述するように液晶等の表示器を備え、この表示器にメニュー画面を表示させて移動通信端末１０に表示されたり使用されるアイテムをメニュー画面上において選択するようにしている。このメニュー画面には対象とするアイテムの項目が表示されるが、項目はカテゴリ別に表示するのが好適とされる。そして、移動通信端末１０に表示されたメニュー画面上において項目の一つが選択されて当該項目の対象アイテムが利用された際に、その対象アイテムと、利用したときの時間帯情報および利用したときに位置していた場所情報とからなる利用情報が、利用履歴として内蔵されている蓄積装置に蓄積される。
【０００８】
この蓄積された利用履歴情報から各対象アイテムの利用回数の利用頻度テーブル、利用したときの時間帯別利用頻度テーブルおよび利用したときに位置していた場所別利用頻度テーブルが作成されて、利用回数の利用頻度テーブルと共に利用頻度格納部にそれぞれ格納される。ここで、移動通信端末１０においてメニュー画面を表示する操作が行われると、現在時刻の時間帯に該当する時間帯別利用頻度テーブルと、移動通信端末１０が位置する現在位置に該当する場所別利用頻度テーブルと、利用回数の利用頻度テーブルとが利用頻度格納部から読み出される。そして、これらの読み出された利用頻度テーブルの内容から現在時間および現在位置に適した項目が総合的に判断されて、その項目をメニュー画面に表示させるための表示項目データが作成される。そして、作成された表示項目データに基づく項目がメニュー画面に表示されるようになる。表示されたメニュー画面上において、ユーザがいずれかの項目を選択すると、その項目に対応する対象アイテムが移動通信端末１０に設定されて利用可能となる。これにより、選択されて対象アイテムが利用されることにより利用履歴情報が更新され、さらに、利用履歴情報の更新に伴って利用回数の利用頻度テーブル、時間帯別利用頻度テーブルおよび場所別利用頻度テーブルが更新されるようになる。
【０００９】
管理サーバ１２は、通信管理部２１およびデータ送受信部２２と、画面デザインデータを記憶する第１記憶部２３と表示項目データを記憶する第２記憶部２４とから構成されている。管理サーバ１２では、ネットワーク１１を介して各移動通信端末１０から利用履歴情報やその移動通信端末１０用の表示項目データがアップロードされた際に、アップロードされた利用履歴情報や当該移動通信端末１０用の表示項目データを通信管理部２１の制御の元でデータ送受信部２２におけるデータ送受信部２２ｂで受信して第２記憶部２４に記憶している。このように管理サーバ１２は、ネットワーク１１に存在している多数の各移動通信端末１０から利用履歴情報を受信して、利用履歴情報に基づいて各対象アイテムの利用回数の利用頻度テーブル、利用したときの時間帯別利用頻度テーブルおよび利用したときに位置していた場所別利用頻度テーブルを作成することができるようにされている。そして、これらの利用頻度テーブルからユーザ毎の行動パターンや時間帯や場所別に好まれるアイテムが決定され、当該アイテムに対応する項目を表示するユーザに最適なメニュー画面を提供するための表示項目データが作成されて、作成された表示項目データが第２記億部２４に記憶されるようになる。
【００１０】
また、メニュー画面の画面デザインのテンプレートが第１記憶部２３に記憶されており、移動通信端末１０は管理サーバ１２からネットワーク１１を介して所望の画面デザインテンプレートをダウンロードすることができる。この場合に、通信管理部２１により画面デザインデータ送信部２２ａが制御されて、第１記憶部２３から要求された画面デザインテンプレートが読み出されて移動通信端末１０に送信されるようになる。移動通信端末１０は、自機に記憶されている画面デザインテンプレートのいずれかを選択して設定することにより、そのテンプレートの画面デザインでメニュー画面が表示されるようになる。その際のメニュー画面に表示される項目は、前述したように移動通信端末１０において作成された表示項目データに基づく項目とされる。また、管理サーバ１２の第２記憶部２４に記憶されている当該移動通信端末１０用の表示項目データおよび利用履歴のデータを取得することにより、移動通信端末１０の機種を変更した際でも当該移動通信端末１０に適した項目を表示するメニュー画面を表示させることができると共に、利用履歴を受け継ぐことができる。
【００１１】
移動通信端末１０においてメニュー画面を表示させる操作を行うと、移動通信端末１０において現在時刻および現在位置の情報に適合する時間帯別利用頻度テーブルと場所別利用頻度テーブルが参照されて当該利用頻度テーブルにおける利用頻度が総合的に判断されて表示すべきアイテム名が決定される。そして、決定されたアイテム名に対応する項目が表示されるメニュー画面が作成されて表示器に表示されるようになる。これにより、現在時刻と移動通信端末１０が位置する現在の場所に適した項目が表示されるメニュー画面とされてユーザがよく利用するアイテムへのアクセスを容易に行うことができ、操作性を高められるようになる。なお、現在時刻は移動通信端末１０に備えられているクロック機能部から取得し、現在位置情報は移動通信端末１０にＧＰＳ（Global Positioning System）が搭載されている場合はＧＰＳ部から取得し、ＧＰＳが搭載されていない場合は移動通信端末１０が属するセルにおける基地局の位置情報とする。
【００１２】
次に、移動通信端末１０においてメニュー画面を表示させる操作を行った際に上記した処理が行われて表示器に表示される表示画面の一例を図２に示す。
図２に示す表示画面３０はメニュー画面とされており、「アダプティブ」メニュータブ、「カスタマイズ」メニュータブおよび「オリジナル」メニュータブが設けられており、図２では「アダプティブ」メニュータブを選択した際の画面とされている。「アダプティブ」メニューでは、利用頻度に応じて表示される項目が動的に更新されるメニューが表示され、「カスタマイズ」メニューでは、ユーザが個別に表示される項目を指定することが可能なメニューが表示され、「オリジナル」メニューでは、表示される項目が移動通信端末１０の全ユーザで共通とされるメニューが表示される。このように、メニュー画面として数種類の画面を用意しておけば、メニュータブを切り替えることにより所望の画面を表示することができるようになる。
【００１３】
図２に示す「アダプティブ」メニューのメニュー画面では、端末機能、インターネットおよびアプリケーションのカテゴリ毎に項目が表示されている。図２では、端末機能のカテゴリに表示される項目は、カレンダー、ボイスメモ、カメラとされ、インターネットのカテゴリに表示される項目は乗換情報、グルメ、地図とされ、アプリケーションのカテゴリに表示される項目はゲーム１、コミック、ゲーム２とされている。各カテゴリに表示される項目は対応する対象アイテムの利用頻度に応じて動的に抽出されている。ここで、メニュー画面において端末機能のカレンダーを選択したとすると、移動通信端末１０の表示器にカレンダーが表示されるようになる。そして、カレンダーのアイテムが利用されたことから、利用した項目であるカレンダー、利用した時間情報、利用した際に移動通信端末１０が位置していた場所情報が含まれている利用情報が、利用履歴に新たに記録されて利用履歴が更新される。さらに、カレンダーのアイテムの利用回数と、カレンダーのアイテムの利用した時間帯および利用した場所での利用回数が１ずつインクリメントされて、利用頻度テーブルが更新されるようになる。
【００１４】
表示画面３０の下部には設定キー３０ａが用意されており、設定キー３０ａを操作することで画面デザインの変更やアダプティブ表示において表示される項目を抽出する基準を変更する設定画面等を表示することができる。すなわち、設定キー３０ａを操作することで、新たな画面デザインのテンプレートを管理サーバ１２からダウンロードしたり、移動通信端末１０の表示器に現在表示されている項目の表示項目データを管理サーバ１２へアップロードすることができる。また、内蔵する記憶手段に記憶されている画面デザインのテンプレートのいずれかを選択して画面デザインを変更したり、アダプティブ表示において表示される項目を抽出する基準を変更することができる。この基準の変更では、時間帯を優先させたり場所を優先させるようその重みを変更することができる。
また、表示されている端末機能、インターネットおよびアプリケーションの文字上でクリックすることにより、クリックされたカテゴリにおける表示されていない項目が表示されるようになる。また、項目が階層状にさらに展開されている場合は、当該項目をクリックした際に下層の項目が表示されるようになる。例えば、グルメをクリックすると「和食」「中華」「洋食」等に展開された項目が表示され、ここで「和食」をクリックしたとすると地域を選択する画面が表示される。
【００１５】
次に、メニュー画面において項目の一つを選択した際に起動される表示項目の抽出処理のフローチャートを図３に示す。
メニュー画面において項目の一つを選択することにより、図３に示す表示項目の抽出処理が開始され、ステップＳ１０にて選択された項目の利用情報が利用履歴に追加されて利用履歴が更新される。次いで、ステップＳ１１にて更新された利用履歴に基づいて端末機能、インターネット、アプリケーションのカテゴリの利用別に単なる利用回数での利用頻度、時間帯別での利用頻度およびユーザ位置を基準とした場所別での利用頻度が算出されてその頻度テーブルが更新される。利用頻度は、（利用回数）／（全体の利用回数）により算出される。更新されたアイテム別の利用回数、時間帯別利用頻度および場所別利用頻度のテーブルは、ステップＳ１２にて内蔵されている記憶手段に確保されている頻度テーブル格納部に格納される。
【００１６】
そして、ステップＳ１３にて更新された時間帯別利用頻度テーブルと場所別利用頻度テーブルが参照され計算された利用頻度を利用して現在時刻および現在位置の情報に適する項目が決定され、決定された項目のセットとされる表示項目データが作成されて記憶手段に記憶されるようになる。この場合、デフォルト設定では、単なる利用回数での利用頻度、時間帯別利用頻度および場所別利用頻度の各頻度を１／３ずつ足し合わせた総合した利用頻度（０＜＝総合した利用頻度＜＝１）を利用して、総合した利用頻度が高い順に表示項目を決定する。ただし、頻度毎に異なる重みを付ける等の個別指定も可能とされている。この重みをａ，ｂ，ｃとすると、ａ×単なる利用頻度＋ｂ×時間帯別利用頻度＋ｃ×場所別利用頻度により総合した利用頻度を算出する。ただし、ａ＋ｂ＋ｃ＝１である。表示項目は、端末機能、インターネット、アプリケーションのカテゴリ別に画面デザインに応じて変化する表示可能数分の項目を総合した利用頻度の上位から抽出する。また、画面デザインに指定されている表示対象項目が、例えば、端末機能のみであった場合には、インターネット、アプリケーションのカテゴリについての項目を抽出する必要はない。表示項目データを表示処理部に供給することにより、表示器に対応する項目が表示されるメニュー画面を表示することができる。この場合、表示項目データを新たに作成する毎に表示処理部に供給することで、より適したメニュー画面の更新を動的に行うことができる。
【００１７】
表示項目の抽出処理において作成された表示項目データは、内蔵する記憶手段に確保されている記憶領域に記憶される。そして、表示項目の抽出処理がメニュー画面において項目の一つが選択される毎に行われることから、更新後の利用履歴に基づく最新の表示項目データが作成されて記憶されることになる。そこで、メニュー画面を表示する操作が行われた際に記憶されている最新の表示項目データを読み出して、表示項目データに基づく項目を表示するメニュー画面を表示するようにしても良い。この場合、最新の表示項目データを作成したときの時間帯あるいは場所と現在時刻の時間帯あるいは場所が変更されている場合は、現在時刻および場所に適したメニュー画面が表示されるように、メニュー画面を表示する操作が行われた際に今までの利用履歴情報に基づいて表示項目データを作成し直すことが好適とされる。
【００１８】
次に、利用頻度テーブルはカテゴリ別のテーブルとされ、その例を図４ないし図７に示す。図４はインターネットのカテゴリにおける各項目の利用回数の利用頻度テーブルの一例であり、乗換情報の項目の利用回数が「８」、グルメ検索の項目の利用回数が「５」等とされている。図５は端末機能のカテゴリにおける各項目の利用回数の利用頻度テーブルの一例であり、スケジュールの項目の利用回数が「１２」、電話帳の項目の利用回数が「１０」等とされている。図６はアプリケーションのカテゴリにおける各項目の同一セルや１ｋｍ四方等の場所別での利用回数の場所別利用頻度テーブルの一例であり、ＴＶリモコンアプリの項目の利用回数が「９」、ゲーム１の項目の利用回数が「５」等とされている。さらに、図７は端末機能のカテゴリにおける各項目の時間帯別での利用回数の時間帯別利用頻度テーブルの一例であり、電話帳の項目の利用回数が「４」回で利用時間帯が１２：００〜１３：００とされ、ミュージックプレイヤーの項目の利用回数が「２」回で利用時間帯が１２：００〜１３：００等とされている。
【００１９】
次に、対象アイテムの利用情報からなる利用履歴のデータ構造の一例を図８に示す。図８には端末機能のカテゴリにおける利用履歴とされており、電話帳の項目の利用情報が示されている。利用情報は、項目名、利用時間（帯）と利用場所からなり、項目名が電話帳の利用時間（帯）が日時、タイムゾーン・オフセットで表され１３：０１：５１＋０９００とされ、利用場所が測地系や座標系の緯度および経度のデータとされている。このような、項目名、利用時間（帯）と利用場所からなる今までの対象アイテムの利用情報が利用履歴のテーブルに記録されている。
また、移動通信端末１０の表示器に表示される画面のデザインデータのデータ要素の内容の一例が図９に示されている。デザインデータのデータ要素には、デザインシートと壁紙と端末機能用アイコン・テキストがある。デザインシートは表示される画面のデザイン（各要素の配置）を規定しており、利用する壁紙のファイル名、利用する端末機能用のアイコン・テキストのファイル名、文字フォント・カラー、各メニューアイコンの配置・大きさの情報が規定されている。壁紙は画面の背景画像データであり、端末機能用アイコン・テキストは端末機能を視覚化するためのアイコンとテキストデータとされている。
【００２０】
次に、表示項目データのデータ構造の一例を図１０に示す。表示項目データは、図１０に示すように配置場所と、その配置場所に表示させる項目名およびアイコン・テキストのファイル名とのセットから構成されている。配置場所は１，２，３・・・の連番とされており、その番号によりメニュー画面での表示位置が特定できるようにされている。図１０に示す例では、配置場所「１」には「スケジュール」の項目名が表示される。また、配置場所「２」には「乗換情報」の項目名が表示され、Norikae.dispのファイルから読み出されたアイコン・テキストが表示されるようになる。さらに、配置場所「３」には「ＴＶリモコンアプリ」の項目名が表示され、TVremote.dispのファイルから読み出されたアイコン・テキストが表示されるようになる。
【００２１】
このアイコン・テキストファイルのデータ構造の一例を図１１に示す。アイコン・テキストファイルは、ファイル名とアイコン画像とテキストから構成され、ファイル名Norikae.dispのファイルは、アイコン画像のファイルがNorikae.pngのファイルとされテキストは「乗換情報」とされる。すなわち、Norikae.dispのファイルが読み出された際にNorikae.pngのファイルが読み出されてアイコンとして表示され、このアイコンの近傍に「乗換情報」のテキストが表示されるようになる。また、ファイル名TVremote.dispのファイルは、アイコン画像のファイルがTVremote.jpgのファイルとされテキストは「ＴＶリモコンアプリ」とされる。この場合も、TVremote.dispのファイルが読み出された際にTVremote.jpgのファイルが読み出されてアイコンとして表示され、このアイコンの近傍に「ＴＶリモコンアプリ」のテキストが表示されるようになる。
【００２２】
次に、本発明の移動通信端末１０の構成を示すブロック図を図１２に示す。
図１２に示す移動通信端末１０は、利用履歴更新部１００ａと表示制御部１００ｂを有する制御部１００を備えている。利用履歴更新部１００ａは、移動通信端末１０で使用することのできる対象アイテムの全ての利用履歴を管理・更新している。そして、メニュー画面が液晶等の表示部１０５に表示されている際に数字キーや十字キーなどから構成される操作キー１０１が操作されて、その操作が操作部１０２において検出された際に、操作により選択された項目に対応する対象アイテムの図８に示す項目名および利用時間（帯）と利用場所から利用情報が作成されて履歴記録部１０９に記録される。この場合の項目名は選択されたアイコンのテキストから取得され、利用場所は位置取得部１０３から取得され、利用時間（帯）は日時取得部１０４から取得される。位置取得部１０３にはＧＰＳ機能部が内蔵され日時取得部１０４には時計機能部が内蔵されている。また、履歴記録部１０９は、カテゴリ別の利用履歴データが記録されるようになされており、図示する場合は端末機能の利用履歴が記録される端末機能利用履歴データ記録部１０９ａと、インターネットの利用履歴が記録されるインターネット利用履歴データ記録部１０９ｂと、アプリケーションの利用履歴が記録されるアプリケーション利用履歴データ記録部１０９ｃとが用意されている。そして、新たに作成された利用情報はその項目が属するカテゴリの利用履歴データ記録部１０９ａ，１０９ｂ，１０９ｃのいずれかに記録されるようになる。
【００２３】
また、表示部１０５の表示内容を制御する表示制御部１００ｂは、表示データ格納部１０８から表示項目データおよび画面デザインデータを読み出して、表示項目データの内容である項目が読み出された画面デザインで表示部１０５に表示されるよう制御している。表示データ格納部１０８は、図３に示す表示項目の抽出処理におけるステップＳ１３の表示項目の抽出・データ作成処理を行う表示項目抽出部１０８ａを有し、表示項目抽出部１０８ａで作成された表示項目データが表示項目データ格納部１０８ｂに格納される。この表示項目データ格納部１０８ｂに格納されている表示項目データは、表示項目データ送受信部１０７ｂから無線通信部１０６を介して管理サーバ１２に送信することができる。また、移動通信網であるネットワーク１１を介して無線通信部１０６が通信を行うことにより、表示項目データ送受信部１０７ｂが管理サーバ１２から受信・取得した表示項目データも表示項目データ格納部１０８ｂに格納される。さらに、表示データ格納部１０８に用意されている画面デザインデータ格納部１０８ｃには、ネットワーク１１を介して無線通信部１０６が通信を行うことにより、画面デザインデータ受信部１０７ａが管理サーバ１２から受信・取得したメニュー画面のデザインや文字フォントなどのデータとされる画面デザインデータが格納されている。
【００２４】
次に、利用頻度計算部１１０は移動通信端末１０に設定可能とされている各対象アイテム毎の利用頻度を算出しており、図３に示す表示項目の抽出処理におけるステップＳ１１の利用頻度の計算処理を行っていると共に、算出した利用頻度を利用頻度格納部１１１に格納することでステップＳ１２の利用頻度の格納処理を行っている。利用頻度計算部１１０で算出される利用頻度は、図４，５に示されるような各カテゴリの各項目毎の利用回数の利用頻度と、図６に示されるような各カテゴリの各項目毎の場所別の利用回数の利用頻度と、図７に示されるような各カテゴリの各項目毎の時間帯別の利用回数の利用頻度とされる。
【００２５】
利用頻度格納部１１１は、各カテゴリの利用頻度格納部を有しており、端末機能用利用頻度格納部、インターネット用利用頻度格納部、アプリケーション用利用頻度格納部が用意されている。端末機能用利用頻度格納部は、端末機能における各項目の単純な利用回数総計が格納される利用頻度データ格納部１１４ａと、端末機能における各項目の時間帯別の利用回数総計が格納される時間帯別利用頻度データ格納部１１４ｂ、端末機能における各項目の場所別の利用回数総計が格納される場所別利用頻度データ格納部１１４ｃから構成されている。インターネット用利用頻度格納部は、インターネットにおける各項目の単純な利用回数総計が格納される利用頻度データ格納部１１３ａと、インターネットにおける各項目の時間帯別の利用回数総計が格納される時間帯別利用頻度データ格納部１１３ｂ、インターネットにおける各項目の場所別の利用回数総計が格納される場所別利用頻度データ格納部１１３ｃから構成されている。アプリケーション用利用頻度格納部は、アプリケーションにおける各項目の単純な利用回数総計が格納される利用頻度データ格納部１１２ａと、アプリケーションにおける各項目の時間帯別の利用回数総計が格納される時間帯別利用頻度データ格納部１１２ｂ、アプリケーションにおける各項目の場所別の利用回数総計が格納される場所別利用頻度データ格納部１１２ｃから構成されている。
なお、図示されていないが利用頻度格納部１１１に格納されている各カテゴリ毎の各種利用頻度データを管理サーバ１２に送信することができるようにされている。
【００２６】
次に、本発明の移動通信端末において時間帯および場所を個別に指定することのできる移動通信端末１０’の構成を示すブロック図を図１３に示す。
図１３に示す移動通信端末１０’の構成は、時間帯定義データを格納する時間帯定義データ格納部１１５およびエリア定義データを格納するエリア定義データ格納部１１６を、図１２に示す移動通信端末１０に付加した構成とされている。これにより、利用頻度計算部１１０は、移動通信端末１０’に設定可能とされている各対象アイテム毎の時間帯別の利用回数の利用頻度を算出する際に、時間帯定義データ格納部１１５から時間帯の定義情報を読み出し、定義情報に従う時間帯別に各カテゴリの各項目毎の利用回数の利用頻度を算出する。また、場所別の利用回数の利用頻度を算出する際に、エリア定義データ格納部１１６からエリアの定義情報を読み出し、定義情報に従うエリア別に各カテゴリの各項目毎の利用回数の利用頻度を算出する。他の構成については、図１２に示す移動通信端末１０と同様であるのでその説明は省略する。
【００２７】
次に、本発明の移動通信端末において最小構成とされた移動通信端末１０”の構成を示すブロック図を図１４に示す。
図１４に示す移動通信端末１０”の構成では、図１２に示す移動通信端末１０の構成から表示データ送受信部１０７を省略した構成とされている。すなわち、移動通信端末１０”は、管理サーバ１２から表示項目データを受信して格納する機能および画面デザインデータを受信して格納する機能を有していないものとされている。そこで、画面デザインデータ格納部１０８ｃには予め複数の画面デザインデータを格納しておくようにされている。また、表示項目データ格納部１０８ｂには表示項目抽出部１０８ａにおいて作成された表示項目データが格納されるようになる。他の構成については、図１２に示す移動通信端末１０と同様であるのでその説明は省略する。
【００２８】
次に、利用頻度計算部１１０において算出される時間帯と場所による利用頻度の計算例を図１５および図１６に示す。図１５は、端末機能のカテゴリにおける算出する現在時刻の時間帯における項目毎の時間帯別利用頻度の一例であり、項目名とその時間帯の利用回数と利用頻度から構成されている。図示する例では、カレンダーの利用回数が３０回とされ、端末機能のカテゴリにおけるその時間帯の総利用回数が６０回とされていることから利用頻度は３０／６０＝０．５と算出されている。また、電話帳の利用回数が１０回とされていることから、同様にして利用頻度は約０．１６７と算出されている。さらに、ボイスメモの利用回数が９回とされていることから、同様にして利用頻度は０．１５と算出されている。さらにまた、カメラの利用回数が８回とされていることから、同様にして利用頻度は約０．１３３３と算出されている。さらにまた、世界時計の利用回数が４回とされていることから、同様にして利用頻度は約０．０６６７と算出されている。
【００２９】
図１６は、端末機能のカテゴリにおける算出する現在の場所（エリア）における項目毎の場所別利用頻度の一例であり、項目名とその場所での利用回数と利用頻度から構成されている。図示する例では、ボイスメモの利用回数が１０回とされ、端末機能のカテゴリにおけるその場所での総利用回数が４０回とされていることから利用頻度は１０／４０＝０．２５と算出されている。また、カレンダーの利用回数が８回とされていることから、同様にして利用頻度は約０．２と算出されている。さらに、カメラの利用回数が７回とされていることから、同様にして利用頻度は０．１７５と算出されている。さらにまた、電話帳の利用回数が６回とされていることから、同様にして利用頻度は０．１５と算出されている。さらにまた、世界時計の利用回数が４回とされていることから、同様にして利用頻度は０．１と算出されている。
このようにして算出されたカテゴリ別の利用頻度のデータを、利用頻度格納部１１１にカテゴリ別に格納するようにしても良い。
【００３０】
次に、表示項目抽出部１０８ａにおいて利用頻度格納部１１１から図１５および図１６に示す時間帯と場所による利用頻度データを読み出して、読み出した利用頻度データに基づいてメニュー画面に表示する項目を決定するための利用頻度の計算例を図１７に示す。メニュー画面に表示する項目を決定するために時間帯別利用頻度と場所別利用頻度に重み付けを行い最終的な利用頻度を算出する。図１７に示す例では、時間帯別利用頻度の重みを０．２とし、場所別利用頻度の重みを０．８としている。これにより、ボイスメモの時間帯別利用頻度は０．１と、場所別利用頻度は０．１６となり総合した利用頻度がその和である０．２６となる。また、カレンダーの時間帯別利用頻度は０．０３と、場所別利用頻度は０．２となり総合した利用頻度がその和である０．２３となる。さらに、カメラの時間帯別利用頻度は０．０２６６と、場所別利用頻度は０．１４となり総合した利用頻度がその和である０．１６６６となる。さらにまた、電話帳の時間帯別利用頻度は０．０３３４と、場所別利用頻度は０．１２となり総合した利用頻度がその和である０．１５３４となる。さらにまた、世界時計の時間帯別利用頻度は０．０１３４と、場所別利用頻度は０．０８となり総合した利用頻度がその和である０．０９３４となる。この結果、メニュー画面の携帯機能のカテゴリに表示すべき項目が３とされる場合は、ボイスメモとカレンダーとカメラの対象アイテムの項目を表示するよう決定される。このようにして表示項目抽出部１０８ａにおいて表示すべき項目が決定され、決定された項目から表示項目データが作成されて表示項目データ格納部１０８ｂに格納されるようになる。
【００３１】
ところで、メニュー画面における「カスタマイズ」メニューでは、ユーザが個別に表示される項目を指定することが可能とされているが、その設定を行う設定画面の一例を図１８に示す。
図１８に設定画面４０では、画面デザイン、時間帯、場所および利用項目・割合を設定することができるようにされている。画面デザインの変更ボタン４０ａをクリックすると画面デザインデータ格納部１０８ｃに格納されている画面デザインテンプレートの一覧が表示されて、その中から所望の画面デザインテンプレートを選択して変更することができる。選択する際には、選択した画面デザインテンプレートのイメージをプレビューすることもできる。また、画面デザインの新デザイン取得ボタン４０ｂをクリックすると管理サーバ１２へ接続する画面が表示されて、管理サーバ１２へ接続することにより管理サーバ１２における画面デザインデータを記憶する第１記憶部２３から所望の画面デザインテンプレートを取得することができる。これにより、移動通信端末１０が有していない新画面デザインテンプレートを取得することができる。
【００３２】
次に、時間帯設定では任意に設定できる時間間隔かユーザ指定かのいずれかを選択することができ、図示する例では「２時間間隔」の時間帯に設定されている。また、ユーザ指定の時間帯の編集ボタン４０ｃをクリックすることにより時間帯を指定可能な編集画面が表示されるようになる。この編集画面において、例えば、００：００−１２：００、１２：００−１８：００、１８：００−２４：００等の時間帯の設定を行うことができる。場所設定では、任意の広さで設定できる四方エリアか駅中心エリアのいずれかを選択することができ、図示する例では「０．１ｋｍ四方エリア」に設定されている。また、駅中心エリアでは地図確認することができ、地図確認ボタン４０ｄをクリックすると、駅を中心とした既定のエリアが表示されるようになる。なお、地図データを移動通信端末１０が有していない場合は管理サーバ１２へ接続して管理サーバ１２から地図データを取得して表示する。
【００３３】
利用項目・割合設定では、全体回数、時間帯および場所の割合設定（重み）を設定することができる。図示する例では、全体回数の割合が「０」、時間帯の割合が「０．２」場所の割合が「０．８」に設定されている。
設定画面４０において設定を変更した場合に、その変更を反映させる場合は「設定して戻る」ボタン４０ｅをクリックすることによりカスタマイズメニューが変更されるようになる。また、変更を反映させない場合は「変更せずに戻る」ボタン４０ｆをクリックすることで変更データは消去されるようになる。
【産業上の利用可能性】
【００３４】
以上の説明においては、メニュー画面において表示すべき項目を決定する表示項目の抽出処理において、時間帯別利用頻度および場所別利用頻度も用いて項目を抽出するようにしたが、単なる利用回数での利用頻度のみを用いて利用頻度が高い順に表示項目を決定するようにしても良い。さらに、時間帯別利用頻度および場所別利用頻度のいずれか一つの利用頻度のみを用いて利用頻度が高い順に表示項目を決定するようにしても良い。
以上説明した移動通信端末は携帯電話端末とすることができ、ネットワークはこの携帯電話端末を備える移動体通信網とすることができる。
【図面の簡単な説明】
【００３５】
【図１】本発明の実施例の移動通信端末および管理サーバからなる移動通信網の概略構成を示すブロック図である。
【図２】本発明にかかる移動通信端末においてメニュー画面を表示させる操作を行った際に表示器に表示される表示画面の一例を示す図である。
【図３】本発明にかかる移動通信端末において実行される表示項目の抽出処理のフローチャートである。
【図４】本発明にかかる移動通信端末におけるインターネットのカテゴリにおける各項目の利用回数の利用頻度テーブルの一例を示す図である。
【図５】本発明にかかる移動通信端末における端末機能のカテゴリにおける各項目の利用回数の利用頻度テーブルの一例を示す図である。
【図６】本発明にかかる移動通信端末におけるアプリケーションのカテゴリにおける各項目の場所別での利用回数の場所別利用頻度テーブルの一例を示す図である。
【図７】本発明にかかる移動通信端末における端末機能のカテゴリにおける各項目の時間帯別での利用回数の時間帯別利用頻度テーブルの一例を示す図である。
【図８】本発明にかかる移動通信端末における対象アイテムの利用情報からなる利用履歴のデータ構造の一例を示す図である。
【図９】本発明にかかる移動通信端末における表示器に表示される画面のデザインデータのデータ要素の内容の一例を示す図である。
【図１０】本発明にかかる移動通信端末における表示項目データのデータ構造の一例を示す図である。
【図１１】本発明にかかる移動通信端末におけるアイコン・テキストファイルのデータ構造の一例を示す図である。
【図１２】本発明の実施例にかかる移動通信端末の構成を示すブロック図である。
【図１３】本発明の実施例にかかる移動通信端末の他の構成を示すブロック図である。
【図１４】本発明の実施例にかかる移動通信端末のさらに他の構成を示すブロック図である。
【図１５】本発明にかかる移動通信端末において端末機能のカテゴリにおける算出する現在時刻の時間帯における項目毎の時間帯別利用頻度の計算例の一例を示す図である。
【図１６】本発明にかかる移動通信端末において端末機能のカテゴリにおける算出する現在の場所（エリア）における項目毎の場所別利用頻度の計算例の一例を示す図である。
【図１７】本発明にかかる移動通信端末においてメニュー画面に表示する項目を決定するための利用頻度の計算例を示す図である。
【図１８】本発明にかかる移動通信端末においてメニュー画面における「カスタマイズ」メニューの設定を行う設定画面の一例を示す図である。
【符号の説明】
【００３６】
１０  移動通信端末、１１  ネットワーク、１２  管理サーバ、２１  通信管理部、２２  データ送受信部、２２ａ  画面デザインデータ送信部、２２ｂ  データ送受信部、２３  第１記憶部、２４  第２記億部、３０  表示画面、３０ａ  設定キー、４０  設定画面、４０ａ  変更ボタン、４０ｂ  新デザイン取得ボタン、４０ｃ  編集ボタン、４０ｄ  地図確認ボタン、４０ｅ  設定して戻るボタン、４０ｆ  変更せずに戻るボタン、１００  制御部、１００ａ  利用履歴更新部、１００ｂ  表示制御部、１０１  操作キー、１０２  操作部、１０３  位置取得部、１０４  日時取得部、１０５  表示部、１０６  無線通信部、１０７  表示データ送受信部、１０７ａ  画面デザインデータ受信部、１０７ｂ  表示項目データ送受信部、１０８  表示データ格納部、１０８  表示項目作成手段、１０８ａ  表示項目抽出部、１０８ｂ  表示項目データ格納部、１０８ｃ  画面デザインデータ格納部、１０９  履歴記録部、１０９ａ  端末機能利用履歴データ記録部、１０９ｂ  インターネット利用履歴データ記録部、１０９ｃ  アプリケーション利用履歴データ記録部、１１０  利用頻度計算部、１１１  利用頻度格納部、１１２ａ  利用頻度データ格納部、１１２ｂ  時間帯別利用頻度データ格納部、１１２ｃ  場所別利用頻度データ格納部、１１３ａ  利用頻度データ格納部、１１３ｂ  時間帯別利用頻度データ格納部、１１３ｃ  場所別利用頻度データ格納部、１１４ａ  利用頻度データ格納部、１１４ｂ  時間帯別利用頻度データ格納部、１１４ｃ  場所別利用頻度データ格納部、１１５  時間帯定義データ格納部、１１６  エリア定義データ格納部
【図１】
2008118346.tif 000003
【図２】
2008118346.tif 000004
【図３】
2008118346.tif 000005
【図４】
2008118346.tif 000006
【図５】
2008118346.tif 000007
【図６】
2008118346.tif 000008
【図７】
2008118346.tif 000009
【図８】
2008118346.tif 000010
【図９】
2008118346.tif 000011
【図１０】
2008118346.tif 000012
【図１１】
2008118346.tif 000013
【図１２】
2008118346.tif 000014
【図１３】
2008118346.tif 000015
【図１４】
2008118346.tif 000016
【図１５】
2008118346.tif 000017
【図１６】
2008118346.tif 000018
【図１７】
2008118346.tif 000019
【図１８】
2008118346.tif 000020